(57)【要約】【課題】シリンダとピストンとの嵌め合いについて高い精度ですり合わせを行わなくても十分な液体噴霧圧力を得ることができ、液体噴霧圧力が低下した場合でも一部の部品を交換するだけで元の状態に戻すことが可能となるスプレーガンを提供する。【解決手段】ピストンポンプ３を備えたスプレーガン１００であって、前記ピストンポンプ３が、側面に液体が吸入される吸入口５１が開口し、先端に液体の吐出口５２が開口するシリンダ５と、前記シリンダ５内を往復動するピストン６と、前記シリンダ５内において前記吸入口５１と前記吐出口５２との間に設けられた円環状のガスケット７と、を備え、前記ピストン６の先端部６２が、前記ガスケット７が収容される収容凹部６Ｄを備えており、前記ガスケット７が、前記収容凹部６Ｄ内において前記ピストン６の往復動の方向に沿って移動可能に設けた。【選択図】図１
2020116495.tif 000002
【特許請求の範囲】
【請求項１】
ピストンポンプを備えたスプレーガンであって、
前記ピストンポンプが、
側面に液体が吸入される吸入口が開口し、先端に液体の吐出口が開口するシリンダと、
前記シリンダ内を往復動するピストンと、
前記シリンダ内において前記吸入口と前記吐出口との間に設けられた円環状のガスケットと、を備え、
前記ピストンの先端部が、前記ガスケットが収容される収容凹部を備えており、
前記ガスケットが、前記収容凹部内において前記ピストンの往復動の方向に沿って移動可能に設けられていることを特徴とするスプレーガン。
【請求項２】
前記ガスケットが、前記シリンダよりも柔らかい材料で形成されている請求項１記載のスプレーガン。
【請求項３】
前記ガスケットが、前記シリンダの内壁面と嵌合する外径を有し、
前記ガスケットの内径が、前記ピストンにおいて前記収容凹部が形成されている部分の直径よりも大きく、かつ、前記ピストンにおいて前記収容凹部が形成されていない部分の直径よりも小さく設定されている請求項１又は２記載のスプレーガン。
【請求項４】
前記ガスケットが、前記収容凹部内に収容された状態で前記シリンダの内壁面と嵌合しており、前記ピストンが前記吐出口側へ移動した際に前記収容凹部の前記吸入口側の端面と当接するように構成された請求項３記載のスプレーガン。
【請求項５】
前記ピストンの先端部の直径が、前記シリンダの内径よりも小さい請求項１乃至４いずれかに記載のスプレーガン。
【請求項６】
前記先端部が、
前記吸入口と対向する側面を有する大径部と、
前記大径部よりも先端側において前記ガスケットと対向する側面が形成された小径部と、
前記小径部よりも直径が大きく、当該小径部の先端側に着脱可能に取り付けられるストッパと、を備え、
前記収容凹部が、前記小径部に前記ストッパを取り付けることにより形成される請求項３又は４記載のスプレーガン。
【発明の詳細な説明】
【技術分野】
【０００１】
本発明は、ピストンポンプにより塗料や洗浄液等の液体を噴射するスプレーガンに関するものである。
【背景技術】
【０００２】
特許文献１に示されるように、スプレーガンはシリンダとピストンからなるピストンポンプをケーシング内に備えたものがある。このピストンポンプのシリンダは、側面に液体が供給される吸入口、及び、先端に形成された液体の吐出口を備えている。シリンダ内からピストンが基端側へ引き抜かれると吸入口から液体がシリンダ内に吸入される。また、ピストンが先端側へと押し込まれると吸入された液体が吐出口から吐出される。
【０００３】
ところで、このようなピストンポンプで十分な液体噴霧圧力を得ようとすると、シリンダとピストンとの間の嵌め合いを例えば０．０１ｍｍ単位ですり合わせる必要がある。
【０００４】
また、経年変化による摩耗等によってシリンダとピストンとの隙間が大きくなって、液体噴霧圧力が低下した場合には、ピストンポンプ全体を交換する必要がある。加えて、新しいピストンポンプの製造時には前述したような高い精度が要求されるので、一般ユーザが自分で部品交換することは非常に難しい。
【先行技術文献】
【特許文献】
【０００５】
【特許文献１】実用登録新案公報第２５８６４０６号公報
【発明の概要】
【発明が解決しようとする課題】
【０００６】
本発明は上述したような問題に鑑みてなされたものであり、シリンダとピストンとの嵌め合いについて高い精度ですり合わせを行わなくても十分な液体噴霧圧力を得ることができ、液体噴霧圧力が低下した場合でも一部の部品を交換するだけで元の状態に戻すことが可能となるスプレーガンを提供することを目的とする。
【課題を解決するための手段】
【０００７】
すなわち、本発明に係るスプレーガンは、ピストンポンプを備えたスプレーガンであって、前記ピストンポンプが、側面に液体が吸入される吸入口が開口し、先端に液体の吐出口が開口するシリンダと、前記シリンダ内を往復動するピストンと、前記シリンダ内において前記吸入口と前記吐出口との間に設けられた円環状のガスケットと、を備え、前記ピストンの先端部が、前記ガスケットが収容される収容凹部を備えており、前記ガスケットが、前記収容凹部内において前記ピストンの往復動の方向に沿って移動可能に設けられていることを特徴とする。
【０００８】
このようなものであれば、前記シリンダの吐出口側に液体が充填された状態で前記ピストンを前記吐出口側に押し込まれると前記ガスケットは液体に押されて前記収容凹部内において前記吸入口側へと押し付けられる。この結果、前記ガスケットにより前記シリンダと前記ピストンとの隙間が閉鎖され、シールが形成される。このため、液体の噴射時には前記シリンダの吐出口側にある液体が前記吸入口側へと戻るのを防ぐことができる。
【０００９】
このように前記ガスケットが逆止弁として作用するので、従来のように前記シリンダと前記ピストンとの間全体でシールが形成されるように高精度で嵌め合いが実現されるようにすり合わせる必要がない。
【００１０】
また、経年劣化によって前記ガスケットが摩耗し、シール性が低下し、十分な液体噴霧圧力が得られなくなった場合にはこのガスケットを交換すれば、元の状態に戻すことができる。このため、前記シリンダ及び前記ピストンを交換する必要がなく、一般ユーザでも交換作業が可能となる。
【００１１】
経年変化によって主に前記ガスケットに摩耗が生じ、前記シリンダ及び前記ピストンには摩耗が生じにくくして、液体噴霧圧力が低下した際に交換する部品を前記ガスケットだけに限定できるようにするには、前記ガスケットが、前記シリンダよりも柔らかい材料で形成されていればよい。
【００１２】
前記ピストンが前記吸入口側へ引かれた際には前記シリンダの内壁面と前記ピストンの側面との間に前記吸入口から前記吐出口に至る流路が形成され、前記ピストンが前記吐出口側へ押し込まれた際には前記ガスケットによって前記シリンダの内壁面と前記ピストンの側面との間にシールが形成されるようにするには、前記ガスケットが、前記シリンダの内壁面と嵌合する外径を有し、前記ガスケットの内径が、前記ピストンにおいて前記収容凹部が形成されている部分の直径よりも大きく、かつ、前記ピストンにおいて前記収容凹部が形成されていない部分の直径よりも小さく設定されていればよい。
【００１３】
前記吸入口と前記ピストンとの位置合わせを行わなくても液体噴出圧力の変化を生じにくくするには、前記ピストンの先端部の直径が、前記シリンダの内径よりも小さいものであればよい。
【００１４】
前記ガスケットが摩耗した場合には一般ユーザでも簡単に交換できるようにするには、前記ピストンが、前記吸入口と対向する側面を有する大径部と、前記大径部よりも先端側において前記ガスケットと対向する側面が形成された小径部と、前記小径部よりも直径が大きく、当該小径部の先端側に着脱可能に取り付けられるストッパと、を備え、前記収容凹部が、前記小径部に前記ストッパを取り付けることにより形成されるものであればよい。
【発明の効果】
【００１５】
このように本発明に係るスプレーガンであれば、前記ガスケットが前記ピストンに形成された収容凹部内において前記ピストンの往復動の方向に移動可能に設けられているので、ガスケットを逆止弁として作用させて液体の吐出時には前記シリンダの吐出口側に液体が前記吸入口側へと逆流しないようにシールを形成することができる。このため、前記シリンダと前記ピストンとの間には隙間を形成することができ、従来のようにシリンダの内壁面とピストンの側面との間全体でシールが形成されるように高い精度ですり合わせる必要がない。
【００１６】
したがって、前記シリンダと前記ピストンが摩耗等によって経年劣化するのを防ぐことができ、前記ガスケットだけが摩耗が進行するようにできる。この結果、液体噴出圧力が低下した場合には前記ガスケットを交換するだけで元の状態にできる。また、前記ガスケットの交換だけであれば、一般ユーザであっても自分で交換作業を行う事が可能となる。
【図面の簡単な説明】
【００１７】
【図１】本発明の一実施形態におけるスプレーガンの外観を示す模式図。
【図２】同実施形態におけるスプレーガンの内部構造を示す模式図。
【図３】同実施形態におけるスプレーガンのピストンポンプ部分を拡大した模式的断面図。
【図４】同実施形態におけるピストンポンプの動作を示す模式図。
【発明を実施するための形態】
【００１８】
本発明の一実施形態におけるスプレーガン１００について図１乃至図４を参照しながら説明する。
【００１９】
図１に示すスプレーガン１００は、衣類等の染み抜き機として用いられるものであり、このスプレーガン１００によって洗浄液は飛沫状にされて、染みのある箇所に吹き付けられる。
【００２０】
図２に示すようにこのスプレーガン１００は、ピストンポンプ３によって供給ホースＳを介して吸入される洗浄液に圧力をかけて、ピストンポンプ３の吐出口５２に設けられたノズル部４を介して飛沫状となった洗浄液を噴射する。
【００２１】
より具体的には、このスプレーガン１００はケーシングＣ内に複数の機構が収容されており、そのグリップ部分Ｇの内部にはモータ１が設けられている。また、ケーシングＣのバレル部分Ｂの内部にはモータ１によって駆動されるカム機構２と、カム機構２の出力軸によりピストン６が往復駆動され、洗浄液が吐出されるピストンポンプ３と、ピストンポンプ３から吐出される洗浄液を飛沫状にするノズル部４と、が収容されている。
【００２２】
以下では図３及び図４を参照しながら主にピストンポンプ３の詳細について説明する。
【００２３】
図３に示すようにピストンポンプ３は、概略中空円筒状をなすシリンダ５と、シリンダ５内に挿入され、概略中実円筒状のピストン６と、ピストン６の先端側に形成された円環状の収容凹部６Ｄに収容される円環状のガスケット７と、を備えたものである。なお、シリンダ５及びピストン６は例えばステンレスで形成されており、ガスケット７はシリンダ５及びピストン６よりも柔らかい例えばグラファイト等の材料で形成されている。
【００２４】
シリンダ５は、側面に開口し、洗浄液の供給ホースＳと接続される吸入口５１と、先端に開口し、ピストン６により押し出される洗浄液が吐出される吐出口５２と、を備えている。また、シリンダ５の内壁面は吸入口５１が形成されている部分の周囲が他の部分よりも内径が大きく形成された拡径部５３が設けられている。この拡径部５３によってピストン６が挿入された状態で洗浄液が流入する空間が形成される。
【００２５】
ピストン６は、カム機構２の出力軸と連結される基端部６１と、シリンダ５の内壁面との間に隙間を形成し、吸入口５１から吐出口５２までの洗浄液の流路を形成する先端部６２と、からなる。また、基端部６１と先端部６２との間に設けられた連結部６３には、シール部材６３１が収容される環状溝が形成されている。カム機構２によって、図４に示すようにピストン６は往復直線運動を繰り返し、洗浄液の吸入、吐出を繰り返す。なお、図３及び図４に示すようにピストン６の連結部６３及びシール部材６３１は、ピストン６が移動してもシリンダ５の拡径部５３よりも基端側に常に位置するように設けられている。
【００２６】
また、シール部材６３１、及び、シリンダ５と基端部６１との間に形成されるシールによって、洗浄液に圧力がかかった場合でもシリンダ５の基端側の開口から洗浄液が漏出しないように構成されている。このため、この実施形態ではピストンポンプ３の基端側にはドレン機構を設けていない。
【００２７】
図３に示すようにピストン６の基端部６１はシリンダ５の内径とほぼ同じ直径を有しており、シリンダ５の内壁面に対して軸方向にがたなく摺動するように構成されている。
【００２８】
ピストン６の先端部６２は、全体として基端部６１よりも直径が小さく設定されており、先端部６２の側面はシリンダ５の内壁面に対して所定距離離間している。
【００２９】
この先端部６２には、シリンダ５の吸入口５１と吐出口５２との間に前述したガスケット７が配置されるように当該ガスケット７を収容する円環状の収容凹部６Ｄが形成されている。収容凹部６Ｄもガスケット７と同様に円環状に形成されているが、ガスケット７よりも大きく形成されている。
【００３０】
具体的には先端部６２は、連結部６３と隣接し、シリンダ５の吸入口５１と対向する側面を有する大径部６Ａと、大径部６Ａよりも吐出口５２側に設けられ、前記ガスケット７の内側周面と対向する小径部６Ｂと、小径部６Ｂよりも直径の大きい円板状のものであり、小径部６Ｂの吐出側に対して着脱可能に取り付けられるストッパ６Ｃと、からなる。ここで、ストッパ６Ｃは例えばネジ止めによって小径部６Ｂの吐出口５２側の端面に固定される。小径部６Ｂに対してストッパ６Ｃが取り付けられることにより、大径部６Ａの吐出口５２側の端面、小径部６Ｂの側面、ストッパ６Ｃの吸入口５１側の端面によって前述した収容凹部６Ｄが形成される。言い換えると、小径部６Ｂにストッパ６Ｃが取り付けられていない状態で先にガスケット７が小径部６Ｂの周囲に設けられ、その後ストッパ６Ｃを取り付けることでガスケット７は収容凹部６Ｄ内に設けられる。このため、ストッパ６Ｃを着脱することにより、ガスケット７については交換可能である。
【００３１】
また、ストッパ６Ｃの側面には軸方向に延びるスロットが複数形成されており、シリンダ５の内壁面と間には隙間が形成される。このスロットを介して洗浄液が吐出口５２側へと流入するように構成されている。
【００３２】
小径部６Ｂの直径は、ガスケット７の内径よりも小さく形成されており、ガスケット７の内側周面と小径部６Ｂの側面との間には隙間が形成される。一方、ガスケット７の外径はシリンダ５の内径とほぼ同じもしくは若干大きく形成されており、ガスケット７の外側周面はシリンダ５の内壁面に対して嵌合する。
【００３３】
また、小径部６Ｂの軸方向の幅寸法はガスケット７の軸方向の幅寸法よりも大きく形成されており、収容凹部６Ｄ内においてガスケット７は軸方向、すなわち、ピストン６の往復直線運動の方向に移動可能に構成されている。このため、洗浄液の圧力によってガスケット７は大径部６Ａの端面、又は、ストッパ６Ｃの端面のいずれかに押し付けられる。
【００３４】
ストッパ６Ｃの吐出口５２側の端面により押し出された洗浄液は、シリンダ５の吐出口５２の近傍に接続されたノズル部４へ流入する。ノズル部４は、弾性ばねで支持された球体により構成された逆止弁４１を備えたものであり、洗浄液に所定の圧力がかかった場合にのみ開放される。
【００３５】
このように構成されたスプレーガン１００におけるピストンポンプ３の一巡の動作について図４を参照しながら説明する。図４（ａ）はピストン６が下死点にある状態を示し、図４（ｃ）はピストン６が上死点にある状態を示す。また、図４（ｂ）は下死点から上死点に至る途中の状態を示し、図４（ｄ）は上死点から下死点に至る途中の状態を示す。
【００３６】
図４の各図に示すように、ピストン６の動きに応じてシリンダ５の吐出口５２側に形成される空間が伸縮するだけでなく、その動きに合わせてガスケット７も収容凹部６Ｄ内において移動する。
【００３７】
具体的には図４（ａ）に示すようにピストン６が下死点にある状態ではガスケット７はストッパ６Ｃの吸入口５１側の端面に接触した状態となる。この状態では、ピストン６により洗浄液は加圧されていないので、ストッパ６Ｃとガスケット７との間にはシールは形成されていない。したがって、吸入口５１から吸入される洗浄液は拡径部５３、ガスケット７の内側周面と小径部６Ｂの側面との隙間、ストッパ６Ｃの端面とガスケット７の端面との隙間を通って、シリンダ５の吐出口５２側の空間まで流入する。
【００３８】
次に図４（ｂ）に示すようにピストン６が吐出口５２側へと押し込まれ始めると、ガスケット７は大径部６Ａの端面側に移動する。この際、シリンダ５の吐出口５２側の空間にある洗浄液はピストン６により加圧されるので、ガスケット７は大径部６Ａの端面に対して押し付けられる。この結果、ガスケット７はシールを形成して、ガスケット７と大径部６Ａとの間から吸入口５１側へと洗浄液が逆流しないように作用する。
【００３９】
図４（ｃ）に示すようにピストン６が上死点に至った状態では十分な液体噴出圧力が実現されて、ノズル部４の逆止弁４１が開放されて洗浄液が飛沫状となった状態で外部に噴出する。
【００４０】
最後に図４（ｄ）に示すようにピストン６が引き抜かれ始めると、ガスケット７はストッパ６Ｃと係合した状態になり、吸入口５１側へと移動する。
【００４１】
このように本実施形態におけるスプレーガン１００は、ピストン６の先端部６２に形成された収容凹部６Ｄ内に設けられる円環状のガスケット７をピストン６の往復動の方向に移動可能に設けているので、ピストン６が押し込まれて洗浄液が加圧される際にはだけ、吸入口５１側へ洗浄液が逆流するのを防ぐシールを形成することができる。
【００４２】
また、ガスケット７によって逆流防止のシールを形成できるので、従来のようにシリンダ５の内壁面とピストン６の側面の全体でシールが形成されるように、精密に加工する必要がない。
【００４３】
また、ピストン６の先端部６２とシリンダ５の内壁面は接触していないので、原理的に摩耗は生じない。このため、洗浄液が加圧される部分においてシリンダ５の内壁面を摺動する部材はガスケット７だけに限定できるので、経年変化によって大きく摩耗が生じるのをガスケット７だけとなる。
【００４４】
したがって、摩耗により洗浄液に十分な液体噴出圧力を加えられなくなった場合には、ガスケット７を交換するだけでよく、シリンダ５やピストン６を交換する必要がない。
【００４５】
さらに、ガスケット７はストッパ６Ｃを着脱するだけで交換可能であるので、一般ユーザであっても交換作業が可能となる。
【００４６】
加えて、吸入口５１の周囲には拡径部５３が形成されているので、ピストン６の間に隙間が必ず形成されるので、従来のように吸入口５１に対してピストン６を正確に位置合わせしなくても、ほぼ同じ液体噴出圧力を実現することができる。
【００４７】
その他の実施形態について説明する。
【００４８】
前記実施形態では、スプレーガンは染み抜き機において洗浄液を噴霧するために用いていたが、例えば染料等を噴霧するために本発明に係るスプレーガンを用いても構わない。また、本発明に係るスプレーガンは、機械を洗浄するために用いてもよいし、室内や車内をクリーニングするために用いても構わない。
【００４９】
収容凹部は、小径部に対してストッパを装着することにより形成されていたが、小径部とストッパを一体に形成し、例えば円環状の溝として形成しても構わない。
【００５０】
ガスケットの材質については前記実施形態で説明したものに限られない。このましくは、シリンダ及びピストンよりもガスケットは柔らかい材質で形成されていればよい。
【００５１】
その他、本発明の趣旨に反しない限りにおいて様々な変形や各実施形態の一部同士の組み合わせを行っても構わない。
【符号の説明】
【００５２】
１００・・・スプレーガン
３    ・・・ピストンポンプ
５    ・・・シリンダ
５１  ・・・吸入口
５２  ・・・吐出口
６    ・・・ピストン
６Ａ  ・・・大径部
６Ｂ  ・・・小径部
６Ｃ  ・・・ストッパ
６Ｄ  ・・・収容凹部
７    ・・・ガスケット
【図１】
2020116495.tif 000003
【図２】
2020116495.tif 000004
【図３】
2020116495.tif 000005
【図４】
2020116495.tif 000006